(57)【要約】      （修正有）【課題】遊技機に電源を供給するために、遊技機ホールの島に複数個配設してある降圧トランスを廃止し、ホール内の配線を簡略化することができる遊技機を提供する。【解決手段】本考案に係る遊技機は、商用ＡＣ２００Ｖを入力する１次側回路１１と、遊技機の動作に必要な直流を出力する２次側回路１２と、前記１次側回路と２次側回路を電気的に絶縁する絶縁トランスから構成され電源回路を内蔵し、１次側回路１１は、フィルタ回路１４、整流平滑回路１５、スイッチング回路、スナバー回路１７、制御回路１８を含んでなり、前記２次側回路は２次側整流回路１９、電圧検出回路２０を含んでなる。【選択図】図２
0003107572.tif 000002
【実用新案登録請求の範囲】
【請求項１】
商用ＡＣ２００Ｖを入力し、遊技機の作動に必要な全ての直流を出力する電源回路を内蔵することを特徴とする遊技機。
【請求項２】
前記電源回路は商用ＡＣ２００Ｖを入力する１次側回路と、前記直流を出力する２次側回路と、前記１次側回路と２次側回路を電気的に絶縁する絶縁トランスとから構成され、
前記１次側回路は、フィルタ回路、整流平滑回路、スイッチング素子、スナバー回路、制御回路を含んでなり、
前記２次側回路は２次側整流回路、電圧検出回路を含んでなり、
前記２次側回路の直流電圧は、電圧検出回路により検出され、フォトカプラを介してその誤差電圧が前記制御回路にフィードバックされ、所定の直流電圧が得られるように制御されることを特徴とする請求項１に記載の遊技機。
【考案の詳細な説明】
【技術分野】
【０００１】
本考案は遊技機に関し、特に２００Ｖ商用電源を入力する電源回路を備えた遊技機に関する。
【背景技術】
【０００２】
回胴式遊技機（スロットマシン）、パチンコ機等の遊技機を多数設置した遊技場（ホール）では、遊技者が遊技し易いように、また、ホール管理者が遊技機の管理をし易いように、遊技機を配置している。即ち、一般には遊技機１０〜２０台を遊技盤面が外側を向くように２列に並べて１塊（島）とし、その島を複数配置する形態に遊技機を配置している。遊技機の電源装置、配線、或いは、遊技機の稼動に付随して必要となる装置やメンテナンスに必要となる装置類の電源配線は、２列に並べた遊技機の間に、島毎に設置される。
【０００３】
図５は、上記のようにホールに遊技機を配置した場合の各遊技機電源用の一般化されている配線形態を示す。
通常数１００ｋＷの電力を消費するホールでは三相６６００Ｖの動力線で電力の供給を受ける。これをホールに設置されたキュービクル（変電装置）１０１で単相三線式の１００Ｖとし、ホール内配線１０２で、各島１０３に配電される。
遊技機本体の入力電圧に関して法的規制はないが、遊技者が直接操作する機械式スイッチ等は扱う電圧が規制されており、そのような観点からＡＣ２４Ｖ入力が半ば標準化され、大半の遊技機の電源電圧がＡＣ２４Ｖとなっている。従って、島１０３には降圧トランス１０４が配置され、これによりＡＣ１００ＶからＡＣ２４Ｖに降圧した電力が島内配線１０５で島内に給電される。各遊技機１０６は島内配線１０５に接続され、電力が供給される。
【０００４】
ＡＣ１００Ｖによるホール内配線１０２の電流容量の制限によって降圧トランス１０４の容量が制限され、１台の降圧トランス１０４で給電できる遊技機１０６は数台が限度である。従って、１０〜２０台の遊技機が並ぶ島には複数の変圧器が設置されるという混み入った配線形態となっている。
【０００５】
更に近年、回胴式遊技機（スロットマシン）、パチンコ機等の遊技機は遊技者の興味を視覚的、聴覚的に喚起する装置が大掛かりになってきている。例えば、回動式遊技機の大当り（入賞）時に点灯する回胴（リール）周辺を含む電飾ランプや表示ランプ類、２チャンネルスピーカを含む音響部などの規模が大きくなってきている。その結果、遊技機１台当たりの消費電力は、大当りなどのピーク時には３５０Ｗ以上となるものもある。
【０００６】
また、降圧トランス１０４の給電容量に余裕がないと、１台の降圧トランス１０４に接続された遊技機が複数台同時に大当りとなった場合には、前述した電飾ランプ、表示ランプ類、音響部が作動し、消費電力を増大させて、その降圧トランス１０４による供給回路の電圧降下を起こし、遊技機１０６に誤作動を誘発する原因となる。
このような状況で、１台の降圧トランス１０４から電力を供給できる遊技機の数は２〜３台にまで減少しており、島内配線１０５は益々煩雑になってきている。
また、島内には遊技機本体に電源を供給するＡＣ２４Ｖ配線の他に、メダル貸出機の如く遊技に必要な周辺機器、或いは遊技機のメンテナンスに必要な機器等の電源用に遊技機用とは電圧の異なる配線も設置されているため、遊技機の交換時に誤接続する事故も発生する。
【０００７】
一方、ホール内配線１０２に関しては、ＡＣ１００Ｖが標準になっており、電流容量の規格から１本の配線で供給できる電力が制限されるため、多数の配線が煩雑に配設されているのが現状である。
【０００８】
上述の電圧降下による誤作動の問題を解決するために、例えば特許文献１には、１台の降圧トランスから１台の遊技機のみに電力を供給する遊技機用定電圧システムが開示されている。しかしながら、このシステムでは、島内に降圧トランスの数が増えるので島内配線は寧ろ更に煩雑になってしまう。
【特許文献１】特許第２６７００２９号公報
【考案の開示】
【考案が解決しようとする課題】
【０００９】
本考案の目的は遊技機を多数設置したホールのホール内配線、島内配線を簡略化できる遊技機を提供することにある。
【課題を解決するための手段】
【００１０】
上記課題を解決するために、本考案に係る遊技機はＡＣ２００Ｖの商用電圧を入力し、遊技機の作動に必要な直流を出力する電源回路を内蔵することを特徴とする。
【００１１】
また、前記電源回路は商用ＡＣ２００Ｖを入力する１次側回路と、前記直流を出力する２次側回路と、前記１次側回路と２次側回路を電気的に絶縁する絶縁トランスとから構成され、前記１次側回路は、フィルタ回路、整流平滑回路、スイッチング素子、スナバー回路、制御回路を含んでなり、前記２次側回路は２次側整流回路、電圧検出回路を含んでなり、
前記２次側回路の直流電圧は、電圧検出回路により検出され、フォトカプラを介してその誤差電圧が前記制御回路へフィードバックされ、所定の直流電圧が得られるように制御されることを特徴とする。
【考案の効果】
【００１２】
本考案に係る遊技機はＡＣ２００Ｖの商用電圧を直接入力する電源回路を内蔵しているので、従来の降圧トランスが不要となり、ホール配線と島内配線を共通化できるので、配線が簡略化できる。
また、電圧を２００Ｖとすることで、１００Ｖの場合に比べて電流が少なくなるため、配線本数を減らすことができ、そのコストも低減できる。
【考案を実施するための最良の形態】
【００１３】
以下、図面を参照して本考案に係る遊技機の実施例を説明する。
【００１４】
図１は回動式遊技機（スロットマシン）を例にして、遊技機１の内部構造を示す図である。
同図で電源部は２で、この電源部に接続された所定の電源コード（図示せず）の先端に設けたプラグを、島内の商用２００Ｖ配線に設けられたコンセントに差し込んで、商用２００Ｖが電源部に供給される。商用ＡＣ２００Ｖを遊技機の動作に必要な直流電圧に変換する電源回路は電源部２に収納される。なお、同図で３が回胴、４がメダル払出し装置である。
【００１５】
図２は電源回路１０の構成図である。
電源回路は商用ＡＣ２００Ｖを入力する１次側回路１１と、遊技機に供給される直流を出力する２次側回路１２と、１次側回路１１と２次側回路１２を電気的に絶縁する絶縁トランス１３とから構成される。
１次側回路１１は、フィルタ回路１４、整流平滑回路１５、スイッチング素子１６、スナバー回路１７、制御回路１８を含んでなる。
また、２次側回路は２次側整流回路１９、電圧検出回路２０を含んでなる。
遊技機に供給される直流電圧は電圧検出回路２０で検出され、２次側回路１２で必要とされる所定の直流電圧との誤差電圧がフォトカプラ２１を介して１次側回路１１の制御回路１８へフィードバックされ、設定された所望の直流電圧が得られるように制御される。
【００１６】
ここで、フィルタ回路１４は１次側回路１１のスイッチングノイズがＡＣ２００Ｖの商用電源に漏れるのを防ぐための回路で、図３に示すように、キャパシタ２５やコイル２６等から構成される一般的な回路である。
整流平滑回路１５はダイオードによるブリッジ整流回路とキャパシタによる平滑回路とで構成された回路である。整流回路としては、倍電圧整流を用いて電圧を高め、電流を減らして電源ロスを少なくする方法もある。
スイッチング素子１６は、２次側回路１２で所定の電圧を得るための素子であり、制御回路１８によりパルス幅変調を用いて制御され、例えばパワーＭＯＳＦＥＴを用いる場合はゲートに入力されるパルス信号によりＯＮ／ＯＦＦして、絶縁トランス１３をスイッチングする。
スナバー回路１７は、スイッチング素子１６のオフ時の絶縁トランス１３で発生する遮断サージ電圧をクランプするための回路で、ダイオード、抵抗、キャパシタ等で構成される。
起動回路２２は整流平滑回路１５の電圧を分圧する等により制御回路１８を起動する際に必要な電圧を印加するための回路である。起動回路２２としては、例えば単に抵抗で分圧する方法もあるが、単純な抵抗分割では損失が大きいので、ツェナーダイオード、抵抗、キャパシタを組み合わせた回路等による低損失回路を用いるのが好ましい。
【００１７】
２次側整流回路１９はダイオードのブリッジと平滑用のキャパシタとを組み合わせた通常の整流回路である。
電圧検出回路２０は直流（ＤＣ）出力電圧を所定の電圧と比較し、その差（誤差電圧）を増幅する回路である。
制御回路１８は、所定のＤＣ電圧を得るために所定の周波数のパルスを発生しスイッチング素子１６に供給するための回路で、２次側回路１２の電圧検出回路２０からフォトカプラを介してフィードバックされた誤差電圧によりパルス幅或いは周期を変えて、スイッチング素子１６に供給するパルスを制御する。なお、制御回路１８はＩＣ化されたものが市販されており、これらを使用することが可能である。
【００１８】
遊技機として回胴式遊技機を例にとると、稼動に必要な電源は、マイクロコンピュータ、制御回路用のＤＣ５Ｖ電源、音響関係に使用するＤＣ１２Ｖ電源、回胴（リール）を回転させるモータ、或いはソレノイド等のアクチュエータ等に使用するＤＣ２４Ｖ電源、を含む複数の種類の電源が一般には必要である。その場合には、各電源に対応する電源回路１０を複数用意するか、或いは電源回路１０の後段に別途必要な電源に対応するスイッチングレギュレータやシリーズレギュレータ（図示せず）を用意する。
【００１９】
図４に本考案の遊技機を配置したホールのホール内配線を示し、同図（ａ）、（ｂ）はそれぞれ単相２００Ｖ、三相２００Ｖを用いる場合を示す。
図４（ａ）に示すように、キュービクル１０１から各島１０３の各遊技機１０６に直接単相２００Ｖが給電される。
或いは、図４（ｂ）に示すように遊技機１０６に三相２００Ｖを給電してもよい。この場合、負荷のアンバランスが生じないように各相に均等に遊技機を接続する。
単相２００Ｖ、三相２００Ｖいずれの場合も、図５の従来の遊技機を配置する場合の島内の配線に比べて、簡略化されていることが分かる。
【産業上の利用可能性】
【００２０】
本考案の技術的思想は、回胴式遊技機、パチンコ機、雀球遊技機、アレンジボール、或いはこれらを複合した遊技機等全ての遊技機に適用可能であることはいうまでもない。
【図面の簡単な説明】
【００２１】
【図１】本考案の遊技機の内部構造を示す図である。
【図２】本考案の遊技機に搭載する電源回路の構成図である。
【図３】フィルタ回路の例を示す回路図である。
【図４】（ａ）単相２００Ｖを使用する場合、及び（ｂ）三相２００Ｖを使用する場合のホール内の配線図である。
【図５】従来の遊技機を配置したホールのホール内電源配線図である。
【符号の説明】
【００２２】
１    遊技機
２    電源部
３    回胴
４    メダル払出し装置
１０  電源回路
１１  １次側回路
１２  ２次側回路
１３  絶縁トランス
１４  フィルタ回路
１５  整流平滑回路
１６  スイッチング素子（ＦＥＴ）
１７  スナバー回路
１８  制御回路
１９  ２次側整流回路
２０  電圧検出回路
２１  フォトカプラ
２２  起動回路
【図１】
0003107572.tif 000003
【図２】
0003107572.tif 000004
【図３】
0003107572.tif 000005
【図４】
0003107572.tif 000006
【図５】
0003107572.tif 000007